(57)【要約】【課題】本発明は、筐体から出し入れ自在に設けられた表示パネルだけでは得られない新たな表示を同時に視認することができるようにすることを課題とする。【解決手段】筐体と、筐体に対して出し入れ自在に設けられた表示パネルとを備える表示装置であって、表示パネルは透光性部分を有しており、表示パネルを筐体から引き出したときに透光性部分に向き合う位置に配置され、透光性部分を介して視認可能に配置された表示部をさらに備えた。【選択図】図１
2007298652.tif 000002
【特許請求の範囲】
【請求項１】
筐体と、筐体に対して出し入れ自在に設けられた表示パネルとを備える表示装置であって、前記表示パネルは透光性部分を有しており、前記表示パネルを筐体から引き出したときに前記透光性部分に向き合う位置に配置され、前記透光性部分を介して視認可能に配置された表示部をさらに備えたことを特徴とする表示装置。
【請求項２】
前記表示パネルが可撓性を有することを特徴とする請求項１に記載の表示装置。
【請求項３】
前記可撓性を有する表示パネルは、巻き取られた状態で筐体内に収容されることを特徴とする請求項２に記載の表示装置。
【請求項４】
前記表示パネル端部に該表示パネルを引き出すための把持部材が設けられており、前記表示パネルを筐体内に収容した状態において前記把持部材に向き合う位置に前記表示部が設けられていることを特徴とする請求項１乃至３の何れか１項に記載の表示装置。
【請求項５】
前記表示パネルはメモリ性を有することを特徴とする請求項１乃至４の何れか１項に記載の表示装置。
【請求項６】
前記表示部は発光型のものであることを特徴とする請求項１乃至５の何れか１項に記載の表示装置。
【発明の詳細な説明】
【技術分野】
【０００１】
本発明は、筐体に対して出し入れ自在に設けられた表示パネルを備える表示装置に関する。
【背景技術】
【０００２】
携帯性を損なうことなく比較的大きな表示画面を実現する表示装置として、可撓性を有する表示媒体を円筒形のケース内に出し入れ自在にした巻物型ディスプレイを開示したものが知られている（例えば、特許文献１参照）。
【特許文献１】特開２０００−１３２１２２号公報
【発明の開示】
【発明が解決しようとする課題】
【０００３】
可撓性を有する表示媒体は種々のものが提案されているが、巻き取りを可能にするほどの可撓性を持たせるためには表示媒体の構成をできるだけ簡素なものにすることが求められる。また、携帯性という観点から本体に内蔵できる電源や電源回路は小規模なものにならざるを得ないので、表示更新や表示維持のための電力が小さい表示媒体であることが求められる。
【０００４】
そのため、表示媒体としてはテレビジョンやパーソナルコンピュータのモニタ用に用いられるような、高い応答性や高い表現力を持つような高性能のディスプレイを用いるのではなく、単純な構成を持つものになりやすい。単純な構成を持つディスプレイを用いると、筐体から引き出して大画面を得ることが容易になる半面、リアルタイムで表示内容を更新することが難しかったり、表示がモノクロのみに限られて表現力に劣ったりする、などの問題があった。
【０００５】
このような問題に鑑みて、本発明は、筐体から出し入れ自在に設けられた表示パネルだけでは得られない新たな表示を同時に視認することができるようにすることを課題とする。
【課題を解決するための手段】
【０００６】
上記の本発明の目的は以下の手段によって達成することが出来る。
１．
筐体と、筐体に対して出し入れ自在に設けられた表示パネルとを備える表示装置であって、前記表示パネルは透光性部分を有しており、前記表示パネルを筐体から引き出したときに前記透光性部分に向き合う位置に配置され、前記透光性部分を介して視認可能に配置された表示部をさらに備えたことを特徴とする表示装置。
２．
前記表示パネルが可撓性を有することを特徴とする１に記載の表示装置。
３．
前記可撓性を有する表示パネルは、巻き取られた状態で筐体内に収容されることを特徴とする２に記載の表示装置。
４．
前記表示パネル端部に該表示パネルを引き出すための把持部材が設けられており、前記表示パネルを筐体内に収容した状態において前記把持部材に向き合う位置に前記表示部が設けられていることを特徴とする１乃至３の何れか１項に記載の表示装置。
５．
前記表示パネルはメモリ性を有することを特徴とする１乃至４の何れか１項に記載の表示装置。
６．
前記表示部は発光型のものであることを特徴とする１乃至５の何れか１項に記載の表示装置。
【発明の効果】
【０００７】
本発明の表示装置によれば、引き出すことで現れる透光性部分を通して表示パネルとは別の表示部の情報を視認することができ、同時に２つの情報を見ることができる。また、表示パネルに可撓性を持たせると動画表示やカラー表示が難しくなるなど、表現力に制約が生じやすくなるところ、透光性部分を通して別の表示部を視認できるようにすることで表現力を補うことができる。
【発明を実施するための最良の形態】
【０００８】
本発明の第１実施形態について説明する。図１、図２は、本発明の第１実施形態である携帯用表示装置１の外観図である。図１は表示パネルを収容した状態を、図２は表示パネル１２を引き出した状態を示している。
【０００９】
図１、２に示すように、筒型の筐体１１と、この筐体１１に対して出し入れ自在に設けられた表示パネル１２と、表示パネル１２を引き出すための把持部１３とを有する。筐体１１は、把持部１３に向き合うように筐体１１から突出した対向部１４を有する。
【００１０】
本表示装置１では、把持部１３が筒型筐体１１から突出した格好になっているので、表示パネル１２を引き出しやすいという特徴がある。また、把持部１３は筐体１１の対向部１４でカバーされており、携帯する際に誤って引き出されたり損傷したりすることが防止される。さらに、把持部１３末端の寸法を表示パネル１２の幅より小さくすることで携帯性や取り扱いやすさを向上させている。さらにまた、把持部１３が末端に至るまでの間徐々に小さくなるようななだらかな形状とすることで、携帯時に何かに引っかかったりするのを極力防止している。
【００１１】
筒型筐体１１の両端はそれぞれ着脱自在のキャップ１５、１６になっている。一方のキャップ１５を外すとデジタルカメラレンズが現れるようになっている。このレンズを介して撮像された被写体像のデジタルデータを内部に記憶し、表示パネル１２に表示できる。また、他方のキャップ１６を外すとストラップを通すための孔を持つピン１７が現れるようになっている（図２にはピン側のキャップ１６を外した状態を図示している）。ピン１７の孔にネックストラップを通して首からぶら下げたり、キーホルダーを通して鍵などをつけたりすることができる。
【００１２】
表示パネル１２は筒状筐体１１内に巻き取られるように構成されている。巻き取りのための構成は、回転軸にパネル１２端部が連結され、回転軸にパネルを巻きつけた状態でパネル１２が筐体１１内に収容される。把持部１３を引っ張ることで回転軸が回転し、パネル１２が徐々に筐体１１外に引き出される。回転軸には、パネル１２引き出し時の回転方向とは逆方向に回転しようとするテンション付与機構と、パネル１２を引き出した状態で固定するストッパ機構とが設けられている。これにより、収容状態から引き出されたときに所望の位置でパネル１２が固定され、その状態から少し把持部１３を引っ張ることで、引き出されたパネル１２が筐体１１内に戻る。このようにすることで、ユーザーが一時的に手を離してもパネル１２を引き出した状態に保つことができる。なお、ストッパ機構を省略してユーザーが把持部１３を持っている間のみパネル１２が引き出す構成としてもよく、この場合は構成が簡略化される。
【００１３】
図３は表示部１９の詳細構成の説明図である。図３に示すように、表示パネル１２の末端には透光性部分１８が設けられている。一方、筐体１１の対向部１４には、表示パネル１２と向き合う側に表示部１９が設けられている。従って、表示パネル１２をフルに引き出した状態で、末端の透光性部分１８を介して発光表示部１９の表示を視認することができるようになっている。なお、上記特許文献１には、巻物型ディスプレイの表示媒体に透光性部分を設けること、及び、この表示媒体を引き出したときに透光性部分に向き合う位置に表示部を配置することは記載されていない。
【００１４】
表示部１９は、ＬＥＤや有機ＥＬ素子などの発光素子、バックライトタイプの液晶表示素子など発光型のものであって、高応答性でフルカラー表示可能なものであることが好ましい。
【００１５】
筐体１１には、ページ送り等、ユーザーが各種の指示を行うための操作部が設けられている。
【００１６】
図４は表示パネル１２の構造を示す図であって、部分的な拡大断面を示している。図４に示すように、表示パネル１２は、可撓性を有する一対の電極付基板１３０（電極１３１、基板１３２）間に、球状スペーサ１３３と、上下基板を接着する接着スペーサ１３４と、基板の電極形成面を覆うように設けられた、配向制御・絶縁・ガスバリア等の機能を果たす機能膜１３５（機能膜は複数層からなるものでもよい）と、これらによって囲まれる空間に満たされた表示媒体１３６としての液晶組成物を含んでいる。また、表示パネル１２には、背面層１３７が設けられている。背面層１３７は使用する液晶組成物や動作モードに合った適当なものを選べばよい。液晶組成物として、電圧無印加状態で表示を維持し続ける特性（メモリ性）を有する、カイラルネマチック液晶などの液晶組成物を用いて、コレステリック液晶相の選択反射を利用して表示を行う場合は、背面層１３７としてコレステリック液晶相によって選択反射される波長以外の光を吸収する光吸収層とする。表示パネル１２としては、これ以外にもエレクトロクロミック素子、電気泳動素子、銀析出型表示素子などを用いることができる。これらはメモリ性なので表示を更新するとき以外は電力消費がない。
【００１７】
表示媒体１３６は、表示パネル１２周囲に配置したシール１３８によって基板間に封入されている。本例では、背面層１３７を設ける領域をこのシール１３８付近までとし、シール１３８よりも末端側には背面層１３７を設けずに、基板間透明充填材１３９を充填している。このようにすることで、透光性部分１８を形成している。
【００１８】
透光性部分１８は、本例のように、背面層１３７を省略して表示媒体とは異なる透明材料を充填するという構成で実現してもよいし、基板端部が素子部と同等の厚みを持つ透明層を有するものとしてもよい。透明板をつなぎ合わせるやり方でもよい。
【００１９】
図５は表示装置の回路ブロック図である。図５に示すように、操作部２０はユーザーが表示の切り替えやカメラの操作など各種の指示を送るためのキーからなる。中央処理回路は全体制御を司る。記憶部はＲＡＭ、ＲＯＭ、フラッシュメモリなどから構成され、画像データを含め各種の情報を記憶する。ネットワーク接続部は無線通信で外部機器と情報のやり取りを行う。表示部１はシート状の表示パネル１２である。表示部２は筐体１１の対向部１４に設けられた第２の表示部１９である。その他に、充電池、電源部を有する。
【００２０】
図６は表示装置１が実行する処理のフローチャート（Ｓ１〜Ｓ７）である。図６に示すように、ユーザーが表示パネル１２を引き出すことで、スリープ状態にある表示装置が起床する。末端まで引き出したら、表示部２を点灯するなどして、引き出しが完了したことをユーザーに知らせる。そして、操作部の操作に応じて表示パネル１２の表示と、透光性部分を介して視認される表示部の表示を更新する。例えば、本表示装置をナビゲーション装置のように使用するため、表示パネル１２に地図画像を表示しておき、操作部の操作が行われたときに、表示を隣接領域の地図に書き換える一方、透光性部分を介して視認される表示部には、方位や時刻、目的地までの距離などの刻々と書き換えるべき情報を表示する。また、色を変えたり、点滅させたり、発光強度を変えたりして、ユーザーに警告を行うこともできる。いずれにしても、メモリ性の表示部と、異種表示部とを並列しているので、メモリ性表示部の表示を異種表示部で補うことができ、ユーザーにとって有益な情報を提供することができる。把持部１３を収容した後は、表示部２の表示を消灯し、スリープモードに移行する。
【００２１】
次に、本発明の実施例２について説明する。本実施例においても、実施例１と同様に表示パネルを筐体に対して出し入れ自在としているが、実施例１とは外観が異なる。すなわち、図７に示すように、表示パネル３０の収容状態で把持部３１が筐体３２に沿うような形状としている。従って、表示パネル３０を収容した状態で装置全体において突出部がなくなる。このため持ちやすく、携帯時に何かに引っかかったりすることもなく、携帯性が向上する。また、図７に示すように、筐体３２に外部から視認できるもう一つの表示部３３を設けており、表示パネル３０を筐体３２内に収容した状態でもユーザーが情報を確認できるようにしている。本例においては、図７に示すように、把持部３１の滑り止め３４に手を当て、把持部３１を掴んでスライドさせることにより、表示パネル３０が筐体３２から引き出される。手を離すと表示パネル３０が筐体３２内に巻き取られ、把持部３１が筐体３２の凹部３５にはめ込まれて一体化する。
【図面の簡単な説明】
【００２２】
【図１】実施例１の表示装置の外観図であり、表示パネル１２を収容した状態を示している。
【図２】表示装置の外観図であり、表示パネル１２を引き出した状態を示している。
【図３】表示部の詳細構成の説明図である。
【図４】表示パネル１２の構成図であって、部分的な拡大断面図である。
【図５】表示装置の回路ブロック図である。
【図６】表示装置が実行する処理のフローチャートである。
【図７】第２実施形態である携帯用表示装置の外観図であり、収容状態と展開状態とを指名している。
【符号の説明】
【００２３】
１  表示装置
１１、３２  筐体
１２、３０  表示パネル
１３、３１  把持部
１４  対向部
１５、１６  キャップ
１７  ピン
１８  透光性部分
１９、３３  表示部
２０  操作部
１３０  電極付き基板
１３１  電極
１３２  基板
１３４  接着スペーサ
１３５  機能膜
１３６  表示媒体
１３７  背面層
１３８  シール
１３９  透明充填剤
３４  滑り止め
３５  凹部
【図１】
2007298652.tif 000003
【図２】
2007298652.tif 000004
【図３】
2007298652.tif 000005
【図４】
2007298652.tif 000006
【図５】
2007298652.tif 000007
【図６】
2007298652.tif 000008
【図７】
2007298652.tif 000009